(57)【要約】【課題】確実な服薬を支援する薬収納装置を提供する。【解決手段】薬収納装置１は、１回の服薬に対応する１つ以上の包装薬１０を収容する薄型略箱状の薬ケース２００と、複数の薬ケース２００を厚み方向に配列し且つ薬ケース２００側面を下方に向けた状態で保持する薬ケース保持ボックス２５０と、薬ケース保持ボックス２５０に保持されている薬ケース２００を上方に押し上げる押上機構４００と、押上機構４００を制御する制御手段とを備えた。【選択図】図２
2017077258.tif 000002
【特許請求の範囲】
【請求項１】
服薬者が服薬する包装薬を収容する薬収納装置において、
１回の服薬に対応する１つ以上の包装薬を収容する薄型略箱状の薬ケースと、
複数の薬ケースを厚み方向に配列し且つ薬ケース側面を下方に向けた状態で保持する薬ケース保持手段と、
薬ケース保持手段に保持されている薬ケースを上方に押し上げる薬ケース押上手段と、
ことを特徴とする薬収納装置。
【請求項２】
薬ケース押上手段は配列方向一方の端に位置する薬ケースを上方に押し上げ、
薬ケース保持手段は複数の薬ケースを配列方向一方の端に向かって移動させる移動手段を備えた
ことを特徴とする請求項１記載の薬収納装置。
【請求項３】
配列方向他方の端に位置する薬ケース内に服薬後の包装が収納されているかを検知する包装検知手段を備えた
ことを特徴とする請求項２記載の薬収納装置。
【請求項４】
薬ケース押上手段は、配列された複数の薬ケースの下方へ移動する移動手段を備える
ことを特徴とする請求項１記載の薬収納装置。
【請求項５】
薬ケース内に服薬後の包装が収納されているかを検知する包装検知手段を備え、
移動手段は薬ケース押上手段とともに包装検知手段を移動する
ことを特徴とする請求項４記載の薬収納装置。
【請求項６】
薬ケース保持手段を、１日の服用回数と同数備えた
ことを特徴とする請求項１乃至５何れか１項記載の薬収納装置。
【発明の詳細な説明】
【技術分野】
【０００１】
本発明は、例えば自宅等において、薬の服用を必要とする患者に対し、適切な服薬、すなわち定められた時間に定められえた種類と量の薬を服用することを支援し、薬の飲み忘れ防止や誤投薬防止等の服薬管理を行うための薬収納装置に関するものである。
【背景技術】
【０００２】
一般に、病院等の医療保険施設において、薬の服用を必要とする入院患者に対しては、患者ごとに用意された薬を看護師が患者まで持って行き、決められた時刻に服用するよう指示をしている。また、服薬を自己管理できる患者については服薬は患者に任せる場合もあるが、看護師が必ず服薬チェックをすることとなっている。しかしながら、患者が薬を飲み忘れたり、故意に服薬を怠ったりなど、患者任せにしては服薬を徹底することができず、効果的な治療ができないという問題があった。一方、病院内では多くの入院患者に投薬する必要があるため、各患者一人ひとりの服薬状況を看護師が確認に行くことは困難であり、決まった時間に服薬するように指導できないという問題があった。
【０００３】
そこで従来、薬を収納する薬収納部と、薬収納部の開閉を検知する開閉センサとを備えた薬箱を患者ごとに配置し、予め設定された服薬時刻に薬が服用されたか否かを薬収納部の開閉センサによって検知することにより、患者の服薬を管理するようにしたものが知られている（例えば、特許文献１参照）。
【先行技術文献】
【特許文献】
【０００４】
【特許文献１】特開２００３−３１０７１５号公報
【発明の概要】
【発明が解決しようとする課題】
【０００５】
ところで、このような服薬管理を病院等の施設の入院患者に対してだけでなく在宅に対しても行いたいという要望がある。しかし、前記従来例では、薬は抽斗にまとめて収納されているだけなので、患者が誤って複数回分の薬を服薬するおそれがある。また、近年、服用する薬の種類や組み合わせ等が多岐にわたるため、前記従来例では誤った薬を服用するおそれもあった。さらに、前記従来例では、服薬時刻に薬が服用されなかった場合は、アラームで患者に知らせることにより、患者に服薬を促すようにしているが、実際に患者が薬を服用したか否かの管理までは行うことができないという問題点があった。
【０００６】
本発明は上記事情に鑑みてなされたものであり、その目的とするところは、確実な服薬を支援する薬収納装置を提供することにある。
【課題を解決するための手段】
【０００７】
上記目的を達成するために、本願発明に係る薬収納装置は、服薬者が服薬する包装薬を収容する薬収納装置において、１回の服薬に対応する１つ以上の包装薬を収容する薄型略箱状の薬ケースと、複数の薬ケースを厚み方向に配列し且つ薬ケース側面を下方に向けた状態で保持する薬ケース保持手段と、薬ケース保持手段に保持されている薬ケースを上方に押し上げる薬ケース押上手段とを備えたことを特徴とする。
【０００８】
本発明によれば、薬ケースに１回の服薬に対応する包装薬が収納されており、所定時刻など適切なタイミングで薬ケースを上方に押し上げることができるので、これにより服薬者に適切な薬ケースを提示し、確実な服薬を支援することができる。
【０００９】
本発明の好適な態様の一例としては、薬ケース押上手段は配列方向一方の端に位置する薬ケースを上方に押し上げ、薬ケース保持手段は複数の薬ケースを配列方向一方の端に向かって移動させる移動手段を備えたことを特徴とするものが挙げられる。本発明によれば、上方に押し上げられる薬ケースの位置が、常に、薬ケースの配列方向一方の端なので、利便性が向上する。なお、服薬後は、包装（殻）を薬ケースに戻し、当該薬ケースを配列方向他方の端に生じたスペースに収納すればよい。
【００１０】
また、本発明の好適な態様の一例としては、配列方向他方の端に位置する薬ケース内に服薬後の包装が収納されているかを検知する包装検知手段を備えたことを特徴とするものが挙げられる。本発明によれば、薬ケース保持手段に戻された薬ケースに包装（殻）が存在しているかを検出できるので、患者が服薬したことを検出することができる。
【００１１】
また、本発明の好適な態様の一例としては、薬ケース押上手段は、配列された複数の薬ケースの下方へ移動する移動手段を備えることを特徴とするものが挙げられる。本発明によれば、薬ケース自体は移動せず薬ケースの押上位置が移動するので、服薬の進捗状況を容易に認識することができる。この場合、薬ケース内に服薬後の包装が収納されているかを検知する包装検知手段を備え、移動手段は薬ケース押上手段とともに包装検知手段を移動すると、薬ケース保持手段に戻された薬ケースに包装（殻）が存在しているかを検出できるので、患者が服薬したことを検出することができる。
【００１２】
また、本発明の好適な態様の一例としては、薬ケース保持手段を、１日の服用回数と同数備えたことを特徴とするものが挙げられる。本発明によれば、１日の服用回と薬ケース保持手段を対応付けできるので、薬ケース保持手段への薬ケースの収納作業を容易且つ確実にすることができ、これにより誤った薬の提供防止を図ることができる。
【発明の効果】
【００１３】
本発明によれば、薬ケースに１回の服薬に対応する包装薬が収納されており、所定時刻など適切なタイミング薬ケースを上方に押し上げることができるので、これにより服薬者に適切な薬ケースを提示し、確実な服薬を支援することができる。
【図面の簡単な説明】
【００１４】
【図１】薬収納装置の外観斜視図
【図２】薬ケース保持ボックスの構成図
【図３】薬収納装置の概略断面図
【図４】薬収納装置の制御ブロック図
【図５】薬収納装置の記憶データの一例
【図６】薬収納装置の動作を説明するフローチャート
【図７】薬収納装置の動作を説明するフローチャート
【図８】他の例に係る薬収納装置の概略断面図
【発明を実施するための形態】
【００１５】
本発明の一実施の形態にかかる服薬管理システムについて図面を参照して説明する。本実施の形態に係る服薬管理システムは、例えば在宅患者に対する服薬の管理を行うためのシステムである。また、本実施の形態に係る服薬管理システムでは、基本的に、服薬者（患者）が朝・昼・夕方・就寝前の４回服薬することを想定するものとし、薬はＰＴＰ包装された錠剤やカプセル或いは分包された散薬などの包装された薬剤（包装薬）を対象とするものとする。まず、薬を服用する服薬者（患者）ごとに設置される薬収納装置について図１〜図３を参照して説明する。図１は薬収納装置の外観斜視図、図２は薬ケース保持ボックスの斜視図、図３は薬収納装置の概略断面図である。
【００１６】
薬収納装置１は、図１に示すように、略箱状の筐体１００内に、１回の服薬に対応する１つ以上の包装薬を収納した薄型箱状の薬ケース２００を複数収納する。
【００１７】
筐体１００の前面パネル１１０には、各種情報を表示するためのディスプレイ３００と、服薬時間が到来したことを通知するための通知ランプ３１０と、服薬者等に各種警告を発するための警告ランプ３２０と、服薬状況を示す４つの状態ランプ３３１〜３３４と、服薬者が服薬した旨を入力する服薬完了入力手段であるモーメンタリスイッチからなる服薬完了ボタン３４０とが設けられている。また、前面パネル１１０には、内部に設けたスピーカ（図示省略）からの音を放出するための放音孔１１１が形成されている。
【００１８】
筐体１００の上面パネル１２０には、包装薬が収納された薬ケース２００を取り出す取出口１２１と、取出口１２１から取り出した薬ケース２００を服薬後に包装を収納した状態で戻すための収納口１２２とが形成されている。取出口１２１及び収納口１２２は、薬ケース２００の側面形状よりやや大きく形成されている。
【００１９】
薬ケース２００は薄型箱状の内部に包装薬１０を収納可能であれば、その構造、特に開閉構造等は不問である。複数の薬ケース２００は、図２に示すように、開放自在の箱状部材からなり、包装１５された包装薬１０を収納する。薬ケース２００は、厚み方向に配列した状態で略直方体形状の薬ケース保持ボックス２５０に収納され、該薬ケース保持ボックス２５０を筐体１００内に収納して使用される。すなわち、薬ケース保持ボックス２５０は、複数の薬ケース２００を厚み方向に配列し且つ薬ケース２００の側面を下方に向けた状態で保持している。本実施の形態では、筐体１００は２つの薬ケース保持ボックス２５０を収納する。ここで薬ケース保持ボックス２５０の長手方向は、複数の薬ケース２００の配列方向、すなわち厚み方向に一致するとともに、筐体１０の前後方向に一致する。なお、薬ケース２００への包装薬の収納作業、薬ケース保持ボックス２５０への薬ケース２００の収納作業、及び、筐体１００への薬ケース保持ボックス２５０への収納作業は、在宅患者を担当する訪問介護者等により実施される。
【００２０】
薬ケース保持ボックス２５０は、図２に示すように、上面開放の薬ケース保持ボックス本体２５１と、薬ケース保持ボックス本体２５１の上面の一部を閉鎖する蓋体２５２とを備えている。蓋体２５２は、長手方向側面を薬ケース保持ボックス本体２５１の上縁部に回動自在に軸支されている。蓋体２５２の長手方向の寸法は、薬ケース保持ボックス本体２５１の上面開口部の長手方向よりも小さくなっており、蓋体２５２により薬ケース保持ボックス本体２５１の上面開口部を閉鎖すると、前端部と後端部には開口領域（非閉鎖領域）が形成される。該前端部の開口領域は、筐体１００の上面パネル１２０の取出口１２１の直下に位置し、その寸法は取出口１２１にほぼ一致する又はやや大きく形成されている。同様に、後端部の開口領域は、筐体１００の上面パネル１２０の収納口１２２の直下に位置し、その寸法は収納口１２２にほぼ一致する又はやや大きく形成されている。換言すれば、前端部の開口領域及び取出口１２１は、薬ケース保持ボックス本体２５１の前端に位置する薬ケース２００の側面の上方に位置し、その寸法は薬ケース２００の側面よりやや大きく形成されている。同様に、後端部の開口領域及び収納口１２２は、薬ケース保持ボックス本体２５１の後端に位置する薬ケース２００の側面の上方に位置し、その寸法は薬ケース２００の側面よりやや大きく形成されている。
【００２１】
また、薬ケース保持ボックス本体２５１の底面前端部には、薬ケース２００を上方に押し上げる押上部材（後述する）が通過可能な押上孔２６１が形成されている。また、薬ケース保持ボックス本体２５１の後面中央部には、薬ケース２００を前方に押し出す押出部材（後述する）が通過可能な押出穴２６２が形成されている。
【００２２】
薬ケース保持ボックス本体２５１の押上孔２６１の下方には、薬ケース保持ボックス２５０の前端に位置する薬ケース２００を上方に押し上げる押上機構４００が配置されている。押上機構４００は、押上部材４０１と該押上部材４０１を上下方向に移動させるリンク機構４０２と、リンク機構４０２を介して押上部材４０１を駆動させる駆動モータ４０３とを備えている。
【００２３】
薬ケース保持ボックス本体２５１の押出孔２６２の後方には、薬ケース保持ボックス２５０内に保持されている複数の薬ケース２００を、配列状態を維持したまま前方に押し出す押出機構４５０が配置されている。押出機構４５０は、押出部材４５１と、押出部材４５１を前後に移動させる駆動手段であるソレノイド４５２とを備えている。
【００２４】
また、薬ケース保持ボックス２５０の前端近傍には、薬ケース保持ボックス２５０の前端に薬ケース２００が存在しているかを検知する薬ケース検知センサ４７１が設けられている。ここで、薬ケース検知センサ４７１は、押上機構４００により薬ケース２００が押し上げられた状態であっても薬ケース２００が存在するものと判定する。薬ケース検知センサ４７１としては、マイクロスイッチ、光センサ、静電容量センサなど種々のものを用いることができる。本実施の形態では、光センサを用い、発光部と受光部を薬ケース保持ボックス２５０の前端上部の左右に配置することにより、発光部と受光部の間に薬ケース２００が存在するか否かを検知する。
【００２５】
また、薬ケース保持ボックス２５０の後端近傍には、薬ケース保持ボックス２５０の後端に位置する薬ケース２００に、服用後の包装（いわゆる「殻」とも言う）１５が存在しているかを検知する包装検知センサ４７２が設けられている。包装検知センサ４７２としては、光センサ、静電容量センサなど種々のものを用いることが出来る。本実施の形態では、光センサを用い、発光部と受光部を薬ケース保持ボックス２５０の後端下部の左右に配置することにより、発光部と受光部の間に位置する薬ケース２００内に包装が存在するか否かを検知する。
【００２６】
次に、薬収納装置１の制御系について図４を参照して説明する。図４は薬収納装置の制御回路図である。
【００２７】
薬収納装置１は、図４に示すように、主制御部７００と、各種データやプログラムを記憶する記憶部７１０、現在時刻を計時するとともに任意時からの経過時間を計時可能な時計７２０、薬収納装置１の動作の設定、特に、服薬予定時刻を入力するための設定スイッチ７３０、ネットワークに接続するための通信制御部７４０、押上機構４００の駆動モータ４０３を駆動するためのモータ駆動制御部７５０と、押出機構４５０のソレノイド４５２を駆動するためのソレノイド駆動制御部７６０とを備えている。
【００２８】
主制御部７００には、前記記憶部７１０、時計７２０、設定スイッチ７３０、通信制御部７４０、モータ駆動制御部７５０、ソレノイド駆動制御部７６０の他、服薬完了ボタン３４０、薬ケース検知センサ４７１、包装検知センサ４７２、各種情報を表示するディスプレイ３００、服薬時間が到来したことを通知するための通知ランプ３１０、服薬状況を示す４つの状態ランプ３３１〜３３４、服薬者等に各種警告を発するための警告ランプ３２０、服薬者や管理者等により操作される操作スイッチ７７０と、スピーカ７８０が接続されている。設定スイッチ７３０は、服薬者が操作できない位置に設けることが好ましい。一方、操作スイッチ７７０は、服薬者が操作可能ではあるが通常時には用いられないので筐体１００の背面などに設けると好適である。
【００２９】
記憶部７１０には、服薬者又は薬収納装置１を一意に識別可能な識別情報である識別番号と、１日４回の服薬予定時間を記録した服薬予定時刻テーブル７１１と、１日４回の服薬予定に対する服薬実績を記録する服薬実績テーブル７１２とを備えている。服薬予定時刻テーブル７１１及び服薬実績テーブル７１２の一例を図５に示す。図５に示すように、服薬予定時刻テーブル７１１は、各服薬回の服薬予定時刻を保持しており、前記設定スイッチ７３０により入力・設定される。また、服薬実績テーブル７１２は、各服薬回の服薬日、服薬時刻、服薬状況を記録・保持する。ここで服薬状況は、（ａ）服薬予定時刻から所定時間（本実施の形態では３０分）以内に服薬した、（ｂ）服薬予定時刻から所定時間（本実施の形態では３０分）経過した後に服薬した、（ｃ）何らかの理由で服薬実績がなかった、という３つの状態を保持する。図５の例では、それぞれ（ａ）の状態を「○」、（ｂ）の状態を「△」、（ｃ）の状態を「×」で示した。
【００３０】
次に、薬収納装置１の動作について図６のフローチャートを参照して説明する。
【００３１】
主制御部７００は、時計７２０が次回の服薬予定時刻となるまでは待機状態となっている（ステップＳ１）。主制御部７００は、時計７２０が次回の服薬予定時刻となると（ステップＳ２）、押上機構４００の駆動モータ４０３を駆動制御して押上部材４０１を上昇させ、前端に位置する薬ケース２００を上方に押し上げる（ステップＳ３）。次に主制御部７００は、ディスプレイ３００にその旨を表示し、通知ランプ３１０を点灯させ、さらに服薬時刻となった旨の音声をスピーカ７８０から出力する（ステップＳ４）。そして主制御部７００は、待機状態から服薬完了待ち状態に移行する（ステップＳ５）。
【００３２】
服薬完了待ち状態では、主制御部７００は、薬ケース検知センサ４７１が薬ケース２００が引き抜かれたことを検知すると（ステップＳ６）、押出機構４５０のソレノイド４５２を駆動制御して薬ケース保持ボックス２５０内に保持されている複数の薬ケース２００を配列状態を維持したまま前方に押し出す（ステップＳ７）。そして、主制御部７００は、包装検知センサ４７２が包装を検知し（ステップＳ８）、その後に服薬完了ボタン３４０の押下を検知すると（ステップＳ９）、該服薬完了ボタン３４０の押下日時を服薬日・服薬時刻として服薬実績テーブル７１２に記録する。ここで服薬完了ボタン３４０の押下時が服薬予定時刻から所定時間（本実施の形態では３０分）以内である場合には、服薬状況を「○」として記録し（ステップＳ１０，Ｓ１１）、服薬予定時刻から所定時間（本実施の形態では３０分）経過した後である場合には、服薬状況を「△」として記録する（ステップＳ１０，Ｓ１２）。次に、主制御部７００は、当服薬回に対応する状態ランプ３３１〜３３４を点灯させ、通知ランプ３１０を消灯させ、警告ランプ３２０を点灯させていた場合には警告ランプ３２０を消灯させ（ステップＳ１３）、再び待機状態に移行する。
【００３３】
上記処理と並行して、主制御部７００は、待機状態から服薬完了待ち状態になってから所定時間（本実施の形態では３０分）経過しても服薬完了ボタン３４０の押下を検出しない場合には、警告ランプ３２０を点灯させる（本処理については図示省略）。
【００３４】
また、主制御部７００は、図７に示すように、服薬完了待ち状態において操作スイッチ７７０の押下を検出すると（ステップＳ５，Ｓ２１）、該操作スイッチ７７０の押下日時を服薬日・服薬時刻とし、服薬状況を「×」として服薬実績テーブル７１２に記録する（ステップＳ２２）。この操作スイッチ７７０は、何らかの事情で服薬の必要がない或いは服薬したが包装の収容が不可である場合などイレギュラーな処理である旨を入力するために用いられる。次に、主制御部７００は、通知ランプ３１０を消灯させ、警告ランプ３２０を点灯させていた場合には警告ランプ３２０を消灯させ（ステップＳ２３）、再び待機状態に移行する。
【００３５】
次に、本実施の形態に係る薬収納装置１を含む服薬管理システムについて説明する。本システムは、薬収納装置１と、管理用コンピュータ８００とを含む。
【００３６】
薬収納装置１は、任意のタイミングで管理用コンピュータ８００へ服薬実績データを送信する。例えば、服薬実績データを服薬実績テーブル７１２に記録する毎に送信することができる。他の例としては、所定の頻度（例えば１日に１回）に複数の服薬回についてのデータをまとめて送信することができる。また、薬収納装置１は、管理用コンピュータ８００だけでなく所定の宛先に対してもメールなどの手段により、服薬実績データを送信することができる。所定の宛先への服薬実績データの送信タイミングは、管理用コンピュータ８００宛てと同じであってもよいし、個別に設定してもよい。なお、所定の宛先の例としては、例えば、訪問介護者、担当看護師、担当医師、患者の家族等など１つ以上を任意に設定することができる。
【００３７】
また、薬収納装置１は、上記実施の形態において各種警告を発する際に、警告を発した旨を管理用コンピュータ８００にも送信することができる。ここで、薬収納装置１は、管理用コンピュータ８００だけでなく所定の宛先に対してもメールなどの手段により警告を発した旨を送信することができる。なお、送信対象の警告の種類は任意とすることができる。また、薬収納装置１から服薬実績データや警告を受信した管理用コンピュータ８００は、所定の条件で予め設定した通知先に通知を行うことができる。例えば管理用コンピュータ８００は、所定の警告を受信すると、当該患者の担当看護師や担当医師等の携帯端末などに通知を行うことができる。当該通知を受けた担当看護師等は、患者の状況を確認するなど適切な対処が可能となる。
【００３８】
また、薬収納装置１や管理用コンピュータ８００において、所定条件の服薬実績データを検出すると、予め設定した宛先に通報を行うような機能を設けてもよい。通報の手段としては、例えば、予め設定したメールアドレスにメールを送信するという方法が挙げられる。
【００３９】
薬収納装置１と管理用コンピュータ８００等との通信経路としては種々の形態を採用できる。例えば、患者宅に有線ＬＡＮ或いは無線ＬＡＮが敷設されており且つ該有線ＬＡＮ又は無線ＬＡＮがインターネット接続可能になっている場合、薬収納装置１はインターネットを介して管理用コンピュータ８００と通信すればよいし、所定の宛先へのメール送信では所定のメールサーバを介して送信すればよい。この場合、薬収納装置１の通信制御部７４０は、有線ＬＡＮとの通信インタフェイス或いは無線ＬＡＮとの通信インタフェイスを備える。
【００４０】
また例えば、患者がインターネット接続可能な携帯端末を有しており且つ該携帯端末がテザリング機能を有している場合には、該携帯端末を介して管理用コンピュータ８００やメールサーバに接続してもよい。この場合、薬収納装置１と携帯端末との間の通信規格は不問であり、例えば無線ＬＡＮ規格やＢｌｕｅｔｏｏｔｈ（登録商標）などの近距離無線通信などの規格を用いることができる。薬収納装置１の通信制御部７４０は、これらの規格に準拠するインタフェイスを備える。
【００４１】
また例えば、薬収納装置１の通信制御部７４０に広域無線通信用の通信モジュールを設けるようにしてもよい。この場合、薬収納装置１と管理用コンピュータ８００等との間のネットワークは、通信事業者の閉域網であってもよいしインターネットなどの公衆網であってもよい。このような構成の場合、患者宅の通信環境に依存しないので管理が容易であるという利点がある。
【００４２】
このように本実施の形態に係る薬収納装置によれば、薬ケース２００に１回の服薬に対応する包装薬が収納されており、所定の服薬予定時刻になると薬ケース２００が上方に押し上げられるので、服薬者に適切な薬ケース２００を提示し、確実な服薬を支援することができる。また、本実施の形態に係る薬収納装置によれば、上方に押し上げられる薬ケース２００の位置が、常に、薬ケース２００の配列方向一方の端なので、利便性が向上する。また、本実施の形態に係る薬収納装置によれば、薬ケース保持ボックス２５０に戻された薬ケース２００に包装（殻）１５が存在しているか否かを検出できるので、患者が服薬したこと検出することができる。これにより確実な服薬管理が可能となる。
【００４３】
以上、本発明の一実施の形態について詳述したが本発明はこれに限定されるものではない。例えば、上記実施の形態では、薬ケース保持ボックス２５０に保持されている複数の薬ケース２００を配列状態を維持したまま前方に移動させる移動手段として、薬ケース保持ボックス２５０の後方に配置した押出機構４５０を用いていたが、他の手段により移動させるようにしてもよい。例えば、薬ケース保持ボックス２５０の底面にベルトコンベアを構成するようにしてもよい。また、薬ケース保持ボックス２５０の長手方向に回転軸を配置するとともに該回転軸を中心とする螺旋形状の部材を設け、該螺旋の間隙に薬ケース２００を保持させ、回転軸を回転させることにより薬ケース２００を移動させてもよい。
【００４４】
また、上記実施の形態では、押上機構４００の位置は固定されており、押出機構４５０により薬ケース２００を移動させていたが、図８に示すように、薬ケース２００の位置は移動させず、押上機構４００を移動させる移動機構４９０を設けてもよい。この場合、包装検知センサ４７２を、押上機構４００とともに移動機構４９０により移動させるようにすると好適である。
【００４５】
また、上記実施の形態では、２つの薬ケース保持ボックス２５０を設けていたが、１つ或いは３つ以上であってもよい。特に、薬ケース保持ボックス２５０を、１日の服用回数（例えば朝・昼・夕方・就寝前の４回）と同数にすると好適である。これは、１日の服用回によって、服用する薬、すなわち薬ケース２００に収納する包装薬１０の種類・数・組み合わせ等が異なる場合があるためである。これにより、薬ケース２００への包装薬１０の収納作業、及び、薬ケース２００の薬ケース保持ボックス２５０への収納作業が容易となり、誤った薬の提供防止を図ることができる。また、例えば朝は一番左、昼はその右隣というように１日の服用回で薬ケース２００の取り出し位置が固定されるので、服用者にとっても使い勝手の良いものとなる。さらに、例えば何らかの理由で朝の服用が行われず朝用の薬ケース２００が取り出されない場合であっても、昼用の薬ケース２００の提供が可能となるので制御の自由度が向上し、これにより種々の運用が可能となる。
【００４６】
また、上記実施の形態では、管理用コンピュータ８００により服薬実績データを管理するようにしているが、所定の宛先に通知するのみであってもよい。
【００４７】
また、上記実施の形態では在宅患者宅に配置することを想定していたが、病院や介護施設等に設置するようにしてもよい。この場合、通信制御部７４０は病院等のネットワーク環境に応じた通信環境を採用すればよい。
【００４８】
また、上記実施の形態では、服薬者が服薬した旨を入力する服薬完了入力手段として、モーメンタリスイッチからなる服薬完了ボタン３４０を用いたが、他の入力手段を用いてもよい。例えば、赤外線センサや近接センサにより服薬者の人体が所定範囲に接近或いは接触したことを検出するようにしてもよい。
【００４９】
また、上記実施の形態では、包装薬を服薬者が服薬したことを検出する手段として、服薬者が服薬した旨を入力する服薬完了入力手段である服薬完了ボタン３４０と、服薬後の包装を検出する包装検知手段である包装検知センサ４７２とを用い、包装検知センサ４７２により包装を検出した後に服薬完了が入力されることで、服薬完了が検出されたものとしたが、服薬完了入力手段による服薬完了入力或いは包装検知手段による包装検知の何れか一方のみをもって服薬完了が検出されたものとしてもよい。
【符号の説明】
【００５０】
１…薬収納装置、１０…包装薬、１５…包装、１００…筐体、２００…薬ケース、２５０…薬ケース保持ボックス、４００…押上機構、４５０…押出機構
【図１】
2017077258.tif 000003
【図２】
2017077258.tif 000004
【図３】
2017077258.tif 000005
【図４】
2017077258.tif 000006
【図５】
2017077258.tif 000007
【図６】
2017077258.tif 000008
【図７】
2017077258.tif 000009
【図８】
2017077258.tif 000010